(57)【要約】      （修正有）【課題】手指に損害を与えず、握り易く、経済的な金属タワシを提供する。【解決手段】厚さ数センチの半楕円形または半円形のスポンジの平面側の長方形の中央に、切り込みを入れて、切り込みに金属タワシ本体を挿入する。又は、厚さ数センチの半楕円形または半円形のスポンジを２枚を貼り合わせ、挿入部分に金属タワシ本体を挿入する。金属タワシ本体が、螺旋状金属タワシ用コイルをドーナツ状に巻きあげ形成し中心部に空間を設けた構造であり、スポンジと金属タワシ本体を止具で係留する。【選択図】図３
0003160146.tif 000002
【実用新案登録請求の範囲】
【請求項１】
スポンジを含む多孔質弾性物質は厚さ数センチの半楕円形または半円形を使用。スポンジの平面側の長方形の中央に、金属タワシを挿入する切り込みを入れる。
【請求項２】
又は、スポンジは厚さ数センチの半楕円形または半円形を２枚使用して、金属タワシの挿入部分以外を貼りあわせる。
【請求項３】
金属タワシは、螺旋状の金属コイルをドーナツ状に巻きあげ、中心部に空間を設け軸のまわりに回転可能な構造となるようにする。これによって金属タワシの摩擦面を回転移動し、清浄面を露出できる構造にする。
【請求項４】
スポンジと金属タワシを紐（天然・化学繊維製など）で固定する。
【請求項５】
又は、紐の他にプラスチック製釦を使用する。
【考案の詳細な説明】
【技術分野】
【０００１】  本考案は、金属タワシを本体とし、この本体を覆うスポンジを含む多孔質弾性物質をカバーとし、このカバーに金属タワシ本体の中心空間を介して本体を係留するための止具と、この止具を取り付ける設置穴をカバーに有する清掃用具である。
【背景技術】
【０００２】  食器具の材質、汚れの種類によって、洗う器具（たわし）を取り替えながら洗っていた。強固な汚れに対しては金属タワシを使用し、通常の汚れに対してはスポンジを使用する方法が現在普通に行われている。金属タワシによる手や指の損傷を避けるために両者を組み合わせた製品も見られる。本考案はこの利便性とタワシの把持性能を向上させるために新規に要件を加味したものである。
【先行技術文献】
【特許文献】
【０００３】
【特許文献１】登録実用新案第３０５５６２６号
【特許文献１】登録実用新案第３１１０８１２号
【非特許文献】
【０００４】
【非特許文献１】株式会社小久保工業所  バブルステンレスタワシ
【考案の概要】
【考案が解決しようとする課題】
【０００５】  金属タワシを直接手にとって使用すると、手や指が荒れやすく、金属線が型くずれし、掴み辛くなる。手荒れを防ぐためにゴム手袋をつけて金属タワシを使用するには、高齢者では握力が弱い。
先行技術文献によると、金属タワシの本体の穴に、柱状体のスポンジを嵌め込み、ナイロン網で包んだ金属タワシは、型崩れを防ぎ、洗浄力に富んでいるが金属を直接手にするので手や指の荒れが防御できない嫌いがある上に、洗浄時に強く力を加えられないという重大な欠点がある。金属コイルの塊体に帽状椀形に形成されたスポンジキャップ体は金属タワシの欠点を補った改良がみられるが、高齢者の手にはしっかり握り辛い。金属タワシのもう一面が使用できない。
本考案は、金属タワシで手指に損傷を与えず、握り易く、握力の弱い高齢者に優しい形状である。金属タワシのみでなくスポンジ部分も使用できるタワシで、洗剤の量もすくなく、取り替える手間も省ける。金属タワシの露出部分がくずれると、スポンジ内の新らしい部分に移動回転できる経済的な製品を目指した。
【課題を解決するための手段】
【０００６】  金属タワシは螺旋状の金属コイルをドーナツ状に巻きあげ、中心に貫通空間を作る。
スポンジは厚さ数センチの半楕円形または半円形で、平面側の中央にスリットをあけ、この中に金属タワシを挿入する。固定方法は、スポンジの表面から紐を通し、金属タワシの貫通空間を通して裏面へ、再び表面に戻り、紐を結んで固定する。金属タワシの約４分の１を表に出し、金属タワシの中心の穴に紐を通して固定し、移動回転ができるようにする。
【考案の効果】
【０００７】  上述のように構成すると金属タワシが握りやすい形状に仕上がり、力を無駄なく発揮できる。金属タワシは手に触れる部分はスポンジなので、指先の怪我を防御できる上に握りやすく力が入り易い形状で、高齢者にとって最適である。金属タワシの中心の穴に紐を通して固定しており、摩滅しても金属タワシを回転させて新しい面に変えることができ経済的である。又、紐で固定しており容易に型崩れしない。スポンジ部分に洗剤を含ませ金属タワシを使うことができる。スポンジ部分のみも使用でき、１個で２通りの働きをする。置き場所は２分の１ですむ。
【図面の簡単な説明】
【０００８】
【図１】金属タワシの中心部に貫通空間を作る。斜視図。
【図２】スポンジの平面側の長方形の中央に金属タワシ挿入の切り込みを入れる。切り込みは回転刃による半円形のスリットとする。回転砥石による図示されたような厚みを持った半円溝も可。
【図３】本考案の金属タワシをスポンジで覆った仕上がり図。
【図４】図３の分解図、透視図及び断面図。紐状の止具６とプラスチック製などの釦状の止具７を示す。
【考案を実施するための形態】
【０００９】  金属タワシは螺旋状の金属コイルをドーナツ状に巻きあげ、中心に丸い空間を作る。厚さ約数センチの半楕円形または半円形のスポンジの平面側にスリットをあけ、その中に金属タワシを挿入する。固定する方法は、スポンジの表面から紐を通し、金属タワシの丸い空間を通して裏面へ、再び表面戻り、紐を結ぶと、握りやすい形状に仕上がるので、力を無駄なく発揮できる。金属タワシの約４分の１をスポンジから出し、大部分はスポンジで覆われており、手、指先の荒れも防げる。金属タワシの中心の穴に紐を通しており、金属タワシが摩滅すると、スポンジに挿入されている金属タワシの新しい部分を回転して出せて経済的である。
【実施例】
【００１０】  以下、添付図面に従って実施例を説明する。図１に示すように１は図のように金属タワシをドーナツ状に巻き上げ、２は紐を通す穴である。図２に示すように３は半楕円形または半円形のスポンジで、平面側に金属タワシを挿入するスリット４をいれる。【００１１】  スポンジのスリット４に、金属タワシ１を挿入して固定する。
固定方法は、紐６を通して結ぶ。スポンジの表面５から金属タワシ２の穴を通してスポンジの裏面へ、裏面から金属タワシの穴２を通し５に戻り紐を引き締めて結ぶ。【００１２】  スポンジ３の代わりに、厚さ数センチの半楕円形または半円形のスポンジを２枚使用し、金属タワシを挿入する部分を除いて貼りあわす。
固定方法は、６の紐か、７のプラスチック製釦でとめる。
【符号の説明】
【００１３】１．金属タワシ本体。
２．金属タワシの中心空間。
３．厚さ数センチの半楕円形または半円形のカマボコ状スポンジ。
４．金属タワシの挿入口。
５．止具設置穴。
６．止具紐。
７．止具釦。
【図１】
0003160146.tif 000003
【図２】
0003160146.tif 000004
【図３】
0003160146.tif 000005
【図４】
0003160146.tif 000006
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
スポンジを厚さ数センチの半楕円形または半円形に形成し、当該スポンジの平面側の長方形の中央に、金属タワシ本体を挿入する切り込みを入れて、切り込みに金属タワシ本体を挿入したことを特徴とする金属タワシ。
【請求項２】
厚さ数センチの半楕円形または半円形のスポンジを２枚使用して、金属タワシ本体の挿入部分以外を貼り合わせ、挿入部分に金属タワシ本体を挿入したことを特徴とする金属タワシ。
【請求項３】
金属タワシ本体が、螺旋状金属タワシ用コイルをドーナツ状に巻きあげ形成し中心部に空間を設けた構造であることを特徴とする請求項１または請求項２の金属タワシ。
【請求項４】
スポンジと金属タワシ本体を紐状の天然・化学繊維製の止具で係留したことを特徴とする請求項１または請求項２の金属タワシ。
【請求項５】
スポンジと金属タワシ本体をボタン状のプラスチック製の止具で係留したことを特徴とする請求項１または請求項２の金属タワシ。
【手続補正２】
【補正対象書類名】明細書
【補正対象項目名】全文
【補正方法】変更
【補正の内容】
【考案の詳細な説明】
【技術分野】
【０００１】  本考案は、金属タワシを本体とし、この本体を覆うスポンジを含む多孔質弾性物質をカバーとし、このカバーに金属タワシ本体の中心空間を介して本体を係留するための止具と、この止具を取り付ける設置穴をカバーに有する金属タワシである。
【背景技術】
【０００２】  食器具の材質、汚れの種類によって、洗う器具（タワシ）を取り替えながら洗っていた。強固な汚れに対しては金属タワシを使用し、通常の汚れに対してはスポンジを使用する方法が現在普通に行われている。金属タワシによる手や指の損傷を避けるために両者を組み合わせた製品も見られる。本考案はこの利便性とタワシの把持性能を向上させるために新規に要件を加味したものである。
【先行技術文献】
【特許文献】
【０００３】
【特許文献１】登録実用新案第３０５５６２６号
【特許文献１】登録実用新案第３１１０８１２号
【非特許文献】
【０００４】
【非特許文献１】株式会社小久保工業所  バブルステンレスタワシ
【考案の概要】
【考案が解決しようとする課題】
【０００５】  金属タワシを直接手にとって使用すると、手や指が荒れやすく、金属線が型くずれし、掴み辛くなる。手荒れを防ぐためにゴム手袋をつけて金属タワシを使用するには、高齢者では握力が弱い。
先行技術文献によると、金属タワシの本体の穴に、柱状体のスポンジを嵌め込み、ナイロン網で包んだ金属タワシは、型崩れを防ぎ、洗浄力に富んでいるが金属を直接手にするので手や指の荒れが防御できない嫌いがある上に、洗浄時に強く力を加えられないという重大な欠点がある。金属コイルの塊体に帽状椀形に形成されたスポンジキャップ体は金属タワシの欠点を補った改良がみられるが、高齢者の手にはしっかり握り辛い。金属タワシのもう一面が使用できない。
本考案は、金属タワシで手指に損傷を与えず、握り易く、握力の弱い高齢者に優しい形状である。金属タワシのみでなくスポンジ部分も使用できるタワシで、洗剤の量もすくなく、取り替える手間も省ける。金属タワシの露出部分がくずれると、スポンジ内の新らしい部分に移動回転できる経済的な製品を目指した。
【課題を解決するための手段】
【０００６】  金属タワシ本体は螺旋状の金属コイルをドーナツ状に巻きあげ、中心に貫通空間を作る。スポンジは厚さ数センチの半楕円形または半円形で、平面側の中央にスリットをあけ、この中に金属タワシ本体を挿入する。固定方法は、スポンジの表面から紐を通し、金属タワシ本体の貫通空間を通して裏面へ、再び表面に戻り、紐を結んで固定する。金属タワシ本体の約４分の１を表に出し、金属タワシ本体の中心の穴に紐を通して固定し、移動回転ができるようにする。
【考案の効果】
【０００７】  上述のように構成すると金属タワシが握りやすい形状に仕上がり、力を無駄なく発揮できる。金属タワシは手に触れる部分はスポンジなので、指先の怪我を防御できる上に握りやすく力が入り易い形状で、高齢者にとって最適である。金属タワシ本体の中心の穴に紐を通して固定しており、摩滅しても金属タワシ本体を回転させて新しい面に変えることができ経済的である。又、紐で固定しており容易に型崩れしない。スポンジ部分に洗剤を含ませ金属タワシを使うことができる。スポンジ部分のみも使用でき、１個で２通りの働きをする。置き場所は２分の１ですむ。
【図面の簡単な説明】
【０００８】
【図１】金属タワシ本体の中心部に貫通空間を作る。斜視図。
【図２】スポンジの平面側の長方形の中央に金属タワシ本体挿入の切り込みを入れる。切り込みは回転刃による半円形のスリットとする。回転砥石による図示されたような厚みを持った半円溝も可。
【図３】本考案の金属タワシ本体をスポンジで覆った仕上がり図．
【図４】図３の分解図、透視図及び断面図。紐状の止具６とプラスチック製などのボタン状の止具７を示す。
【考案を実施するための形態】
【０００９】  金属タワシ本体は螺旋状の金属コイルをドーナツ状に巻きあげ、中心に丸い空間を作る。厚さ約数センチの半楕円形または半円形のスポンジの平面側にスリットをあけ、その中に金属タワシ本体を挿入する。固定する方法は、スポンジの表面から紐を通し、金属タワシ本体の丸い空間を通して裏面へ、再び表面戻り、紐を結ぶと、握りやすい形状に仕上がるので、力を無駄なく発揮できる。金属タワシ本体の約４分の１をスポンジから出し、大部分はスポンジで覆われており、手、指先の荒れも防げる。金属タワシ本体の中心の穴に紐を通しており、金属タワシ本体が摩滅すると、スポンジに挿入されている金属タワシ本体の新しい部分を回転して出せて経済的である。
【実施例】
【００１０】  以下、添付図面に従って実施例を説明する。図１に示すように１は図のように金属タワシ本体をドーナツ状に巻き上げ、２は紐を通す穴である。図２に示すように３は半楕円形または半円形のスポンジで、平面側に金属タワシ本体を挿入するスリット４をいれる。【００１１】  スポンジのスリット４に、金属タワシ本体１を挿入して固定する。
固定方法は、紐６を通して結ぶ。スポンジの表面５から金属タワシ本体の穴２を通してスポンジの裏面へ、裏面から金属タワシ本体の穴２を通し５に戻り紐を引き締めて結ぶ。【００１２】  スポンジ３の代わりに、厚さ数センチの半楕円形または半円形のスポンジを２枚使用し、金属タワシを挿入する部分を除いて貼りあわす。
固定方法は、６の紐か、７のプラスチック製ボタンでとめる。
【符号の説明】
【００１３】  １．金属タワシ本体。
２．金属タワシ本体の中心空間。
３．厚さ数センチの半楕円形または半円形のカマボコ状スポンジ。
４．金属タワシ本体の挿入口。
５．止具設置穴。
６．止具紐。
７．止具ボタン。